(57)【特許請求の範囲】
【請求項１】
トランスにより１次巻線側と２次巻線側とが絶縁され、フィードバックにフォトカプラが用いられた絶縁型のスイッチング電源装置であって、
出力電圧が所定の電圧に達する前に前記フォトカプラを動作させる補助回路を設け、
前記トランスの２次巻線側の電圧を整流した出力電圧よりも高い電圧レベルの補助電源電圧によって前記補助回路を駆動する、
ことを特徴とするスイッチング電源装置。
【請求項２】
前記フォトカプラの発光側であるフォトダイオード、出力電圧に直列接続された２つの抵抗、および前記フォトダイオードのカソードが出力に接続されている、基準電圧と前記２つの抵抗による分圧電圧とを比較する誤差増幅器を有することを特徴とする請求項１記載のスイッチング電源装置。
【請求項３】
前記補助回路は、前記トランスの２次巻線側の電圧を整流した出力電圧よりも高い電圧に直列接続されたコンデンサおよび抵抗と、前記コンデンサと前記抵抗との中点にアノードが接続されるとともに前記誤差増幅器の入力に接続された前記２つの抵抗の中点にカソードが接続されたダイオードとを備えたことを特徴とする請求項２記載のスイッチング電源装置。
【発明の詳細な説明】
【０００１】
【発明の属する技術分野】
本発明は、起動時の出力電圧のオーバーシュートを防止する回路を有するスイッチング電源装置に関するものである。
【０００２】
【従来の技術】
コンピュータなどの電子システムなどに用いられ、効率よく、かつ安定した電圧を供給するスイッチング電源装置の１つとして、前段に降圧コンバータ、後段にハーフブリッジコンバータなどを組み合わせた、いわゆる２ステージコンバータが提案されている。
【０００３】
降圧コンバータは、入力電圧をある電圧レベルまで降圧する。ハーフブリッジコンバータは、第１および第２のスイッチ素子が一定のデューティーでオン・オフするハーフブリッジ回路によってトランスの１次巻線を励磁して２次巻線に発生する電圧を整流・平滑して直流電圧を生成する。
【０００４】
このような構成のスイッチング電源装置において、電源起動時に、ノイズの発生、回路素子への電流、電圧ストレスなどを防止し、出力電圧をスムーズに出力する、いわゆるソフトスタート回路を有しているものがある。
【０００５】
帰還回路は、誤差増幅器およびフォトカプラなどから構成されている。通常動作時、誤差増幅器は、基準電圧と出力電圧を抵抗分圧した分圧電圧とを比較し、フォトカプラの電流を制御するが、電源起動時で、出力電圧が設定電圧よりかなり低い場合は、フォトカプラはＯＦＦになっている。
【０００６】
このフォトカプラがＯＦＦの期間において、降圧コンバータのスイッチ素子を駆動するＰＷＭ駆動回路は、ソフトスタート用信号に基づいてＰＷＭ波形を生成する。
【０００７】
このソフトスタート用信号は、コンデンサに定電流で充電されて生じる電圧である。駆動制御回路のＯＵＴはソフトスタート用信号の電圧レベルが高くなるに伴い、出力電圧が上昇するようなパルスを出力する。
【０００８】
そして、出力電圧がある設定電圧レベル以上になると、誤差増幅器の出力が反転してフォトカプラがＯＮとなり、ソフトスタート用信号から、通常のフィードバックレベル信号に基づくＰＷＭ波形の生成に切り換えられる。
【０００９】
これにより、スイッチング電源装置の出力電圧が徐々に所定の電圧レベルまで上がるように制御している。
【００１０】
【発明が解決しようとする課題】
前述したスイッチング電源装置のソフトスタートの制御技術では、ソフトスタート用信号から、フィードバックレベル信号に切り替わる際に、誤差増幅器やフォトカプラなどの応答遅れなどが生じてしまうことにより、出力電圧のオーバシュートが発生し、定格電圧を超えた電圧が出力されてしまうという問題がある。
【００１１】
そこで、本発明は、電源起動時に発生するオーバシュートを確実に防止することのできるスイッチング電源装置を提供することを目的とする。
【００１２】
【課題を解決するための手段】
上記課題を解決するため、本発明に係るスイッチング電源装置は、トランスにより１次巻線側と２次巻線側とが絶縁され、フィードバックにフォトカプラが用いられた絶縁型のスイッチング電源装置であって、出力電圧が所定の電圧に達する前にフォトカプラを動作させる補助回路を設け、トランスの２次巻線側の電圧を整流した出力電圧よりも高い電圧レベルの補助電源電圧によって補助回路を駆動することを特徴とする。
【００１３】
このような発明によれば、電源起動時における出力電圧のオーバシュートをなくすことができ、安定したスイッチング電源を供給することができる。
【００１４】
【発明の実施の形態】
以下、本発明の実施の形態を、図面を参照しつつさらに具体的に説明する。ここで、添付図面において同一の部材には同一の符号を付しており、また、重複した説明は省略されている。なお、発明の実施の形態は、本発明が実施される特に有用な形態としてのものであり、本発明がその実施の形態に限定されるものではない。
【００１５】
図１は本発明の一実施の形態によるスイッチング電源装置の回路図、図２は図１のスイッチング電源装置における各部の電圧波形を示したタイミングチャート、図３は従来技術の回路図、図４は図３のスイッチング電源装置における各部の電圧波形を示したタイミングチャート、図５は本発明の他の実施形態によるスイッチング電源装置の回路図である。
【００１６】
本実施形態において、スイッチング電源装置１は、降圧コンバータ（第２のコンバータ）２、ハーフブリッジコンバータ（第１のコンバータ）３、駆動制御回路４、および帰還制御回路５から構成されている。
【００１７】
降圧コンバータ２は、入力電源の電圧Ｖｉｎをある電圧レベルに降圧して出力する。この降圧コンバータ２は、スイッチ素子（第３のスイッチ素子）６、ダイオード７、およびインダクタ９から構成されている。
【００１８】
ハーフブリッジコンバータ３は、降圧コンバータ２が生成した電圧をある電圧レベルの直流電圧に変換して出力電圧Ｖｏを出力して負荷に供給する。
【００１９】
また、ハーフブリッジコンバータ３は、スイッチ素子（第１のスイッチ素子１０、第２のスイッチ素子１１）、コンデンサ１２〜１４、トランス１５、ダイオード１６，１７、およびインダクタ１９から構成されている。
【００２０】
スイッチ素子６，１０，１１は、たとえば、ＭＯＳ−ＦＥＴなどのトランジスタからなる。スイッチ素子６は、駆動制御回路４が生成する駆動制御信号ＯＵＴによってＯＮ／ＯＦＦ動作が制御されている。
【００２１】
駆動制御回路４にはコンパレータ４ａなどが設けられており、たとえば、ＩＣ（Ｉｎｔｅｇｒａｔｅｄ  Ｃｉｒｃｕｉｔ）などの１パッケージの半導体集積回路装置からなり、駆動制御信号ＯＵＴとしてＰＷＭ（Ｐｕｌｓｅ  Ｗｉｄｔｈ  Ｍｏｄｕｌａｔｉｏｎ）信号を生成する。
【００２２】
スイッチ素子１０，１１においても同様に、駆動制御回路４が生成した制御信号（上記ＯＵＴとは異なる）によってＯＮ／ＯＦＦ動作がそれぞれ制御されている。
【００２３】
スイッチ素子６の一方の接続部には入力電源Ｖｉｎが接続されており、スイッチ素子６の他方の接続部には、還流用整流素子であるダイオード７のカソード、および平滑用のインダクタ９の一方の接続部がそれぞれ接続されている。
【００２４】
インダクタ９の他方の接続部には、コンデンサ１２の一方の接続部、およびスイッチ素子１０の一方の接続部がそれぞれ接続されている。このスイッチ素子１０の他方の接続部には、トランス１５の１次巻線側の一方の入力部、ならびにスイッチ素子１１の一方の接続部がそれぞれ接続されている。
【００２５】
また、コンデンサ１２の他方の接続部には、コンデンサ１３の一方の接続部、およびトランス１５の１次巻線側の他方の入力部が接続されている。これにより、ハーフブリッジ型回路が構成されている。
【００２６】
ダイオード７のアノード、スイッチ素子１１の他方の接続部、ならびにコンデンサ１３の他方の接続部には、基準電位（ＧＮＤ）がそれぞれ接続されている。
【００２７】
スイッチ素子６の制御端子（ゲート）には、駆動制御回路４から出力される駆動制御信号ＯＵＴが入力されるように接続されており、スイッチ素子１０，１１の制御端子（ゲート）には、同じく駆動制御回路４から出力される制御信号が入力されるようにそれぞれ接続されている。
【００２８】
また、コンパレータ４ａの負側（−）入力端子には、コンデンサ４ｂの一方の接続部が接続されおり、コンパレータ４ａの一方の正側（＋）入力端子には、コンデンサ４ｃの一方の接続部、および基準電圧ＶＲＥＦ が接続されている。コンデンサ４ｂ，４ｃの他方の接続部には、基準電位（ＧＮＤ）がそれぞれ接続されている。
【００２９】
コンデンサ４ｂは、ある間隔で定期的に充放電されており、のこぎり波の信号（第３の比較信号）ＣＴを生成している。コンデンサ４ｃは、基準電圧ＶＲＥＦから定電流充電され、その電圧をソフトスタート用信号（第１の比較信号）ＳＳとして生成している。
【００３０】
トランス１５の２次巻線側の一方の端子には、ダイオード１６のカソードが接続されており、トランス１５の２次巻線側の他方の端子には、ダイオード１７のカソードが接続されている。ダイオード１６のアノードには、ダイオード１７のアノード、およびコンデンサ１４の他方の接続部が接続されている。
【００３１】
トランス１５の２次巻線側のセンタタップには、インダクタ１９の一方の接続部が接続されている。このインダクタ１９の他方の接続部には、コンデンサ１４の一方の接続部が接続されている。
【００３２】
そして、コンデンサ１４の両接続部から、スイッチング電源装置１の出力電圧Ｖｏが出力される。
【００３３】
さらに、帰還制御回路５は、補助電源部５ａ、フォトダイオード部５ｂ、および補助回路５ｃから構成されている。補助電源部５ａは、ダイオード２０，２１、ならびにコンデンサ２２からなり、後述するような補助電源電圧ＶＨを生成する。
【００３４】
フォトダイオード部５ｂは、フォトカプラの発光側であるフォトダイオード２３ａ、誤差増幅器２４および抵抗２５〜２８から構成されており、補助回路５ｃは、コンデンサ２９、ダイオード３０および抵抗３２から構成されている。
【００３５】
抵抗２５の一方の接続部には、基準電圧ＶＲＥＦ が供給されている。また、ＶＲＥＦ 端子とコンパレータ４ａの一つの正側（＋）入力端子の間には、ＶＲＥＦ 端子から一定の電流を供給する定電流回路４０が接続されている。抵抗２５の他方の接続部には、フォトカプラの受光側であるフォトトランジスタ２３ｂのコレクタ、およびコンパレータ４ａの他方の正側（＋）入力端子にそれぞれ接続されている。フォトトランジスタ２３ｂのエミッタは、基準電位（ＧＮＤ）に接続されている。
【００３６】
抵抗２５の他方の接続部から出力される電圧が、駆動制御回路４のフィードバック用信号（第２の比較信号）ＦＢとして入力される。
【００３７】
さらに、ダイオード２０，２１のアノードには、ダイオード１６，１７のカソードがそれぞれ接続されており、これらダイオード２０，２１のカソード電圧が、補助電源電圧ＶＨとなる。
【００３８】
この補助電源電圧ＶＨは、コンデンサ２２，２９の一方の接続部、抵抗２６の一方の接続部、および誤差増幅器２４の電源入力部にそれぞれ供給されている。抵抗２６の他方の接続部には、フォトダイオード２３ａのアノードが接続されており、フォトダイオード２３ａのカソードには、誤差増幅器２４の出力部が接続されている。
【００３９】
抵抗２７，２８は、出力電圧Ｖｏ間に直列接続されている。これら抵抗２７，２８によって分圧された分圧電圧が誤差増幅器２４の負側（−）入力端子に入力されるように接続されており、この誤差増幅器２４の正側（＋）入力端子には、基準電圧ＶＲＥＦ１が入力されるように接続されている。
【００４０】
コンデンサ２９の他方の接続部と抵抗３２の一方の接続部には、つまりコンデンサ２９と抵抗３２との中点には、ダイオード３０のアノードが接続されている。ダイオード３０のカソードは抵抗２７および抵抗２８の中点に接続されるとともに誤差増幅器２４の負側（−）入力端子が接続されている。
【００４１】
誤差増幅器２４は、負側（−）入力端子に入力される電圧と基準電圧ＶＲＥＦ１とを比較し、負側（−）入力端子に入力される電圧が基準電圧ＶＲＥＦ１よりも高くなるとＬｏｗレベル出力となり、フォトダイオード２３ａの電流を制御する。
【００４２】
また、コンデンサ２２の他方の接続部および抵抗３２の他方の接続部には、出力電圧Ｖｏ（−）が接続されている。
【００４３】
次に、本実施の形態によるスイッチング電源装置１の起動時の動作について、図１、および図２の信号タイミングチャートを用いて説明する。
【００４４】
図２において、上方から下方にかけては、コンパレータ４ａに入力されるフィードバック用信号ＦＢ、信号ＣＴ、ソフトスタート用信号ＳＳ、コンパレータ４ａから出力される駆動制御信号ＯＵＴ、およびスイッチング電源装置１から出力される出力電圧Ｖｏの信号タイミングをそれぞれ示している。
【００４５】
まず、スイッチング電源装置１が起動されると、信号ＣＴが出力される。その後、コンデンサ４ｃが基準電圧ＶＲＥＦ によって定電流充電され、ソフトスタート用信号ＳＳの電圧が徐々に上昇する。
【００４６】
このとき、出力電圧Ｖｏは、出力されていないので、補助電源電圧ＶＨには電圧が発生していなく、誤差増幅器２４は動作せず、フィードバック用信号ＦＢも基準電圧ＶＲＥＦ レベルとなっている。
【００４７】
よって、コンパレータ４ａは、信号ＣＴとソフトスタート用信号ＳＳとを比較し、信号ＣＴの電圧レベルがソフトスタート用信号ＳＳよりも低い期間だけ、駆動制御信号ＯＵＴを出力し、スイッチ素子６を駆動させる。
【００４８】
降圧コンバータ２はこのスイッチ素子６のＯＮ／ＯＦＦによって駆動されるので、コンデンサ１２，１３（コンデンサ１２およびコンデンサ１３は同じ容量）の電圧は徐々に上昇する。
【００４９】
スイッチ素子１０，１１は、駆動制御回路４から出力される制御信号（前記ＯＵＴとは異なる）によって交互に一定のデューティでＯＮ／ＯＦＦする。
【００５０】
スイッチ素子１０がＯＮすると、トランス１５の１次巻線側に降圧コンバータによって降圧された電圧レベルの１／２の電圧が印加され、この電圧がトランス１５の巻数比に比例した２次側電圧に変換され、２次側電流がダイオード１７とインダクタ１９を介してコンデンサ１４に流れる。
【００５１】
また、スイッチ素子１０がＯＦＦし、スイッチ素子１１がＯＮした際には、トランス１５の１次巻線側に逆方向の電圧が印加される。よって、トランス１５の２次巻線側では、ダイオード１６とインダクタ１９を介してコンデンサ１４に電流が流れる。これに伴い、出力電圧Ｖｏは、徐々に電圧レベルが上昇する。また、同様に補助電源電圧ＶＨも徐々に電圧が上昇し、誤差増幅器２４は動作状態となる。この時、誤差増幅器２４の出力はＨｉｇｈ出力となっており、引き続き、フィードバック用信号ＦＢは基準電圧ＶＲＥＦ レベルとなっている。
【００５２】
出力電圧Ｖｏは抵抗２７および抵抗２８に印加されるので、出力電圧Ｖｏ／（抵抗２７の抵抗値＋抵抗２８の抵抗値）で求められる電流（以下、この電流を「第１の電流」という。）が流れる。
【００５３】
さらに、ダイオード２０，２１は、ダイオード１６，１７のカソード、すなわちトランス１５の２次巻線側の両方の端子にそれぞれ接続されているので、補助電源部５ａでは出力電圧Ｖｏの約２倍程度（２Ｖｏ）の補助電源電圧ＶＨが生成されることになる。ダイオード２０，２１から出力された補助電源電圧ＶＨは、コンデンサ２２によって平滑される。
【００５４】
そして、この補助電源電圧ＶＨからコンデンサ２９を充電する電流が、ダイオード３０から抵抗２８に至る経路、および抵抗３２の経路を流れる（以下、この電流を「第２の電流」という。）。
【００５５】
ここで、起動時にはコンデンサ２９に電荷が充電されていないので、前述した第１の電流と第２の電流との和が抵抗２８を流れる。したがって、第１の電流のみが抵抗２８を流れるときよりも急峻な傾きの電圧信号Ｖｓが誤差増幅器２４の負側（−）入力端子に入力される。
【００５６】
誤差増幅器２４は、入力された電圧信号Ｖｓと基準電圧ＶＲＥＦ１とを比較する。このとき、起動時における電圧信号Ｖｓの傾きは急峻になっているので、当該電圧信号Ｖｓは、第１の電流のみが抵抗２８を流れるときよりも早く基準電圧ＶＲＥＦ１に到達する。そして、基準電圧ＶＲＥＦ１に到達したならば、誤差増幅器２４の出力が反転してＬｏｗ出力となり、フォトカプラが駆動される。これによって、誤差増幅器２４とフォトカプラとの動作遅延時間ＴＤだけ遅れてフィードバック用信号ＦＢの電圧レベルが立ち下がりを開始する。
【００５７】
一方、ソフトスタート用信号ＳＳはコンデンサ４ｃが充電されるにしたがって電圧レベルが上昇するので、当該ソフトスタート用信号ＳＳの電圧レベルがフィードバック用信号ＦＢの電圧レベルよりも大きくなると、コンパレータ４ａは、フィードバック用信号ＦＢと信号ＣＴとに基づいて駆動制御信号ＯＵＴを生成することになる。
【００５８】
このように、起動時には第１および第２の電流が流れることにより、第１の電流のみが流れるときよりも早く電圧信号Ｖｓが基準電圧ＶＲＥＦ１に到達して誤差増幅器２４の出力がＬｏｗになり、フィードバック用信号ＦＢを立ち下げることができるので、スイッチング電源装置１は、出力電圧Ｖｏがオーバシュートとなる前に電源起動時のソフトスタート制御から通常の制御動作に移行することになる。
【００５９】
なお、コンデンサ２９の充電が完了すると第１の電流のみが流れるが、ダイオード３０があるため、この第１の電流は抵抗３２には流入しない。したがって、コンデンサ２９、抵抗３２およびダイオード３０からなる補助回路５ｃは、スイッチング電源装置１の起動時のみ作動する。
【００６０】
従来技術のスイッチング電源装置５０の動作について説明する。
【００６１】
スイッチング電源装置５０は、図３に示すように、絶縁型電源回路５１、１次制御回路５２、および帰還回路５３から構成されている。絶縁型電源回路５１は、図１の降圧コンバータ２ならびにハーフブリッジコンバータ３などと同様の回路構成からなるので説明は省略する。
【００６２】
また、１次制御回路５２は、コンパレータ５４、コンデンサ５５，５６からなり、降圧コンバータのスイッチ素子のＯＮ／ＯＦＦ制御を行う。帰還回路５３は、フォトカプラの発光部側であるフォトダイオード５７ａ、誤差増幅器５８、抵抗５９〜６２から構成されている。
【００６３】
コンパレータ５４の負側（−）入力端子には、コンデンサ５５の一方の接続部が接続されている。また、基準電圧ＶＲＥＦ２０ の端子とコンパレータ５４の一つの正側（＋）入力端子の間には、基準電圧ＶＲＥＦ２０ から一定の電流を供給する定電流回路４１が接続されている。コンパレータ５４の他方の正側（＋）入力端子には、基準電圧ＶＲＥＦ２０ 、およびコンデンサ５６の一方の接続部が接続されている。これらコンデンサ５５，５６の他方の接続部には、基準電位（ＧＮＤ）がそれぞれ接続されている。
【００６４】
コンデンサ５５は、のこぎり波の信号ＣＴを生成し、コンデンサ５６は、ソフトスタート用信号ＳＳを生成する。コンパレータ５４の他方の正側（＋）入力端子には、フォトカプラの受光部側であるフォトトランジスタ５７ｂのコレクタが接続されている。
【００６５】
抵抗５９の一方の接続部には基準電圧ＶＲＥＦ２０ が接続されており、抵抗５９の他方の接続部には、同様にフォトトランジスタ５７ｂのコレクタが接続されている。
【００６６】
抵抗６０の一方の接続部、および誤差増幅器５８には、補助電圧源７０が供給されている。抵抗６０の他方の接続部には、フォトダイオード５７ａのアノードが接続されており、フォトダイオード５７ａのカソードには、誤差増幅器５８の出力端子が接続されている。
【００６７】
抵抗６１，６２は、スイッチング電源装置５０の出力電圧Ｖｏ間に直列接続されており、これら抵抗６１，６２の中間ノードには、誤差増幅器５８の負側入力端子が接続されている。誤差増幅器５８の正側入力端子には、基準電圧ＶＲＥＦ１０ が接続されている。
【００６８】
また、図４は、スイッチング電源装置５０における各部の動作信号のタイミングチャートであり、上方から下方にかけて、コンパレータ５４に入力されるフィードバック用信号ＦＢ、信号ＣＴ、ソフトスタート用信号ＳＳ、コンパレータ５４から出力されるスイッチ素子の駆動信号、およびスイッチング電源装置５０から出力される出力電圧Ｖｏの信号タイミングをそれぞれ示している。
【００６９】
スイッチング電源装置５０が起動されると信号ＣＴが出力され、コンデンサ５６が基準電圧ＶＲＥＦ２０ によって定電流充電され、ソフトスタート用信号ＳＳの電圧が徐々に上昇する。
【００７０】
コンパレータ５４は、信号ＣＴとソフトスタート用信号ＳＳとを比較し、信号ＣＴの電圧レベルがソフトスタート用信号ＳＳよりも低い期間だけ駆動信号ＯＵＴを出力し、降圧コンバータのスイッチ素子をＯＮさせる。これにより、出力電圧Ｖｏは徐々に上昇する。誤差増幅器５８には、出力電圧Ｖｏが抵抗６１，６２によって分圧された電圧と基準電圧ＶＲＥＦ１０ とがそれぞれ入力されて比較されるので、出力電圧Ｖｏがある電圧に達すると誤差増幅器５８の出力が反転してＬｏｗ出力となる。すると、補助電圧源７０からフォトダイオード５７ａに電流が流れ、フォトトランジスタ５７ｂがＯＮになる。
【００７１】
したがって、フォトダイオード５７ａに電流が流れ始め、これに呼応してフォトトランジスタ５７ｂがＯＮになるまでには、若干の動作遅延時間ＴＤが発生する。そして、ここからフィードバック用信号ＦＢが立ち下がりを開始する。
【００７２】
図４に示すように、フィードバック用信号ＦＢの立ち下がり直後は、このフィードバック用信号ＦＢの方がソフトスタート用信号ＳＳよりも電圧レベルが高いので、フィードバック用信号ＦＢの電圧レベルは駆動制御信号ＯＵＴの生成に反映されない。
【００７３】
このために、出力電圧Ｖｏにオーバシュートが発生してしまい、スイッチング電源装置５０の信頼性を損ねてしまう恐れがある。
【００７４】
これに対し、図１に示すスイッチング電源装置１によれば、電源起動時のソフトスタート制御時において、出力電圧Ｖｏの２倍程度の電圧レベルの補助電源電圧ＶＨによって帰還制御を行うので、フィードバック遅れによる出力電圧Ｖｏのオーバシュートを防止でき、スイッチング電源装置１の信頼性を向上することができる。
【００７５】
また、本実施の形態では、補助電源部５ａが生成した補助電源電圧ＶＨを補助回路５ｃに供給する構成としたが、出力電圧Ｖｏの電圧レベルが大きい場合には、図５に示すように、補助回路５ｃに供給する電圧を出力電圧Ｖｏから取るようにしてもよい。
【００７６】
この場合、スイッチング電源装置１ａの回路接続は、補助回路５ｃのコンデンサ２９が出力電圧Ｖｏを出力する一方の出力端子に接続されている点だけが異なっており、その他の回路構成については、図１のスイッチング電源装置１と同様である。
【００７７】
また、本実施の形態では、降圧コンバータとハーフブリッジコンバータとによってスイッチング電源装置を構成した場合について記載したが、本発明は、昇圧コンバータ、昇降圧コンバータ、プッシュプルコンバータ、あるいはフルブリッジコンバータなどの他形式のコンバータを備えたスイッチング電源装置に応用することができる。
【００７８】
【発明の効果】
以上の説明から明らかなように、本発明によれば以下の効果を奏することができる。
(1).スイッチング電源装置の電源起動時におけるフィードバック遅れによる出力電圧のオーバシュートを確実に防止することができる。
(2).これにより、スイッチング電源装置が生成する出力電圧を安定して供給することができ、スイッチング電源装置の信頼性を向上することができる。
【図面の簡単な説明】
【図１】本発明の一実施の形態によるスイッチング電源装置の回路図である。
【図２】図１のスイッチング電源装置における各部の電圧波形を示したタイミングチャートである。
【図３】従来のスイッチング電源装置の回路図である。
【図４】図３のスイッチング電源装置における各部の電圧波形を示したタイミングチャートである。
【図５】本発明の他の実施形態によるスイッチング電源装置の回路図である。
【符号の説明】
１，１ａ  スイッチング電源装置
２  降圧コンバータ（第２のコンバータ）
３  ハーフブリッジコンバータ（第１のコンバータ）
４  駆動制御回路
４ａ  コンパレータ
４ｂ，４ｃ  コンデンサ
５  帰還制御回路
５ａ  補助電源部
５ｂ  フォトダイオード部
５ｃ  補助回路
６  スイッチ素子（第３のスイッチ素子）
７  ダイオード
９  インダクタ
１０  スイッチ素子（第１のスイッチ素子）
１１  スイッチ素子（第２のスイッチ素子）
１２〜１４  コンデンサ
１５  トランス
１６，１７  ダイオード
１９  インダクタ
２０，２１  ダイオード
２２  コンデンサ
２３ａ  フォトダイオード
２３ｂ  フォトトランジスタ
２４  誤差増幅器
２５〜２８  抵抗
２９  コンデンサ
３０  ダイオード
３２  抵抗
４０  定電流回路
４１  定電流回路
５０  スイッチング電源装置
５１  絶縁型電源回路
５２  １次制御回路
５３  帰還回路
５４  コンパレータ
５５，５６  コンデンサ
５７ａ  フォトダイオード
５７ｂ  フォトトランジスタ
５８  誤差増幅器
５９〜６２  抵抗
７０  補助電圧源
ＣＴ  信号（第３の比較信号）
ＦＢ  フィードバック用信号（第２の比較信号）
ＯＵＴ  駆動制御信号
ＳＳ  ソフトスタート用信号（第１の比較信号）
ＴＤ  動作遅延時間
ＶＨ  補助電源電圧
Ｖｉｎ  入力電源
Ｖｏ  出力電圧
ＶＲＥＦ   基準電圧
ＶＲＥＦ１  基準電圧
ＶＲＥＦ１０   基準電圧
ＶＲＥＦ２０   基準電圧
Ｖｓ  電圧信号
【図１】
0003789362.tif 000002
【図２】
0003789362.tif 000003
【図３】
0003789362.tif 000004
【図４】
0003789362.tif 000005
【図５】
0003789362.tif 000006